(57)【要約】      （修正有）【課題】スイッチ絶縁シートがずれるのを回避することができるスイッチ接続が堅固な電子カードを提供する。【解決手段】回路板６と絶縁シート８とを備えており、回路板６上にはスイッチ作用を備えたコンタクト２と板ばね４とが設けられており、板ばね４はコンタクト２に弾性的に当接されており、絶縁シート８はコンタクト２と板ばね４との間でスライドするように設けられ、回路板６上にはコンタクト２及び板ばね４上方に位置するＵ形ホルダ７が設けら、絶縁シート８はＵ形ホルダ７内に挿設され、絶縁シート８の一端には開口が設けられ、回路板６及び絶縁シート８の固定端は折り畳まれたカードの二辺にそれぞれ固定され、カードを開くと、絶縁シート８の可動端がスライドしてコンタクト２と板ばね４とが開口にて互いに接触し、カードを閉じると、絶縁シート８の可動端がコンタクト２と板ばね４との間でスライドしてコンタクト２と板ばね４とが互いに絶縁となる。【選択図】図１
2018108731.tif 000002
【特許請求の範囲】
【請求項１】
回路板と絶縁シートとを備えており、前記回路板上にはスイッチ作用を備えたコンタクトと板ばねとが設けられており、前記板ばねはコンタクトに弾性的に当接されており、前記絶縁シートはコンタクトと板ばねとの間でスライドするように設けられており、前記回路板上にはコンタクト及び板ばね上方に位置するＵ形ホルダが設けられており、前記絶縁シートはＵ形ホルダ内に挿設されており、前記絶縁シートの一端には開口が設けられており、前記回路板及び絶縁シートの固定端は折り畳まれたカードの二辺にそれぞれ固定されており、カードを開くと、前記絶縁シートの可動端がスライドしてコンタクトと板ばねとが開口にて互いに接触し、カードを閉じると、前記絶縁シートの可動端がコンタクトと板ばねとの間でスライドしてコンタクトと板ばねとが互いに絶縁となる、ことを特徴とするスイッチ接続が堅固な電子カード。
【請求項２】
コンタクトの両側に位置する二つの係合穴が前記回路板上に設けられて、前記Ｕ形ホルダが係合穴により回路板に係合する、ことを特徴とする請求項１に記載のスイッチ接続が堅固な電子カード。
【請求項３】
前記絶縁シートがＰＶＣシートである、ことを特徴とする請求項１に記載のスイッチ接続が堅固な電子カード。
【請求項４】
前記回路板上には、ボタン電池とスピーカとが更に設けられる、ことを特徴とする請求項１に記載のスイッチ接続が堅固な電子カード。
【請求項５】
前記Ｕ形ホルダのコンタクトに対応する位置が肉抜きされている、ことを特徴とする請求項４に記載スイッチ接続が堅固な電子カード。
【発明の詳細な説明】
【技術分野】
【０００１】
本発明は電子製品に関し、とりわけスイッチ絶縁シートがずれるのを回避することができるスイッチ接続が堅固な電子カードに関する。
【背景技術】
【０００２】
電子カードは、主に誕生日などのお祝いとして、カードを開いたときに心地よい祝福の音楽を再生することができる。従来の電子カードのチップの製造では、主にＰＶＣシートを引き抜きようにスライドさせて金属板ばねと結合することで回路を作動させるというものであり、構造は簡単であるが、カードの開き角度が大きすぎると、ＰＶＣシートが金属板ばねの表面から飛び出してしまい、正常な軌道動作ができなくなり、ひいては不良品が発生してしまう。
【発明の概要】
【発明が解決しようとする課題】
【０００３】
従来技術の欠点を克服するために、本発明では、スイッチ絶縁シートがずれるのを回避することができるスイッチ接続が堅固な電子カードを提供する。
【課題を解決するための手段】
【０００４】
本発明は以下の技術措置により実現するものであって、スイッチ接続が堅固な電子カードは、回路板と絶縁シートとを備えており、前記回路板上にはスイッチ作用を備えたコンタクトと板ばねとが設けられており、前記板ばねはコンタクトに弾性的に当接されており、前記絶縁シートはコンタクトと板ばねとの間でスライドするように設けられており、前記回路板上にはコンタクト及び板ばね上方に位置するＵ形ホルダが設けられており、前記絶縁シートはＵ形ホルダ内に挿設されており、前記絶縁シートの一端には開口が設けられており、前記回路板及び絶縁シートの固定端は折り畳まれたカードの二辺にそれぞれ固定されており、カードを開くと、前記絶縁シートの可動端がスライドしてコンタクトと板ばねとが開口にて互いに接触し、カードを閉じると、前記絶縁シートの可動端がコンタクトと板ばねとの間でスライドしてコンタクトと板ばねとが互いに絶縁となる。
【０００５】
好ましい形態として、コンタクトの両側に位置する二つの係合穴が前記回路板上に設けられて、前記Ｕ形ホルダが係合穴により回路板に係合する。
【０００６】
好ましい形態として、前記絶縁シートがＰＶＣシートである。
【０００７】
好ましい形態として、前記回路板上には、ボタン電池とスピーカとが更に設けられる。
【０００８】
好ましい形態として、前記Ｕ形ホルダのコンタクトに対応する位置が肉抜きされている。
【発明の効果】
【０００９】
本発明の絶縁シートはＵ形ホルダ内に挿設されており、絶縁シートが引き出されてスライドする過程において、Ｕ形ホルダの作用により、金属板ばねの表面から飛び出すことはなくなり、しかも規制体の方向に沿って運動しなければならないため、絶縁シートがスライド運動の過程にて外れないように保証しており、固定された方向でのみスライド可能である。本発明は構造が簡単で且つ実用的であり、実際の製造中にて歩留まりを改善することができ、製造工程は簡単で、歩留まりを改善すると同時に、製造コストも削減する。
【図面の簡単な説明】
【００１０】
【図１】図１は本発明の実施例の分解構造概略図である。
【図２】図２は本発明の実施例のＵ形ホルダを係合した構造概略図である。
【発明を実施するための形態】
【００１１】
以下にて実施例を合わせるとともに、図面を対照して、本発明をより詳細に説明する。
【００１２】
スイッチ接続が堅固な電子カードは、図１及び図２を参照するに、回路板６と絶縁シート８とを備えており、前記回路板６上にはスイッチ作用を備えたコンタクト２と板ばね４とが設けられており、前記板ばね４はコンタクト２に弾性的に当接されており、前記絶縁シート８はコンタクト２と板ばね４との間でスライドするように設けられており、前記回路板６上にはコンタクト２及び板ばね４上方に位置するＵ形ホルダ７が設けられており、前記絶縁シート８はＵ形ホルダ７内に挿設されており、前記絶縁シート８の一端には開口が設けられており、前記回路板６及び絶縁シート８の固定端は折り畳まれたカードの二辺にそれぞれ固定されており、カードを開くと、前記絶縁シート８の可動端がスライドしてコンタクト２と板ばね４とが開口にて互いに接触し、カードを閉じると、前記絶縁シート８の可動端がコンタクト２と板ばね４との間でスライドしてコンタクトと板ばねとが互いに絶縁となる
【００１３】
。
本電子カードの絶縁シート８はＵ形ホルダ７内に挿設されており、絶縁シート８が引き出されてスライドする過程において、Ｕ形ホルダ７の作用により、金属板ばね１の表面から飛び出すことはなくなり、しかも規制体の方向に沿って運動しなければならないため、絶縁シート８がスライド運動の過程にて外れないように保証しており、固定された方向でのみスライド可能である。本製品は構造が簡単で且つ実用的であり、実際の製造中にて歩留まりを改善することができ、製造工程は簡単で、歩留まりを改善すると同時に、製造コストも削減する。
【００１４】
スイッチ接続が堅固な電子カードの実施例において、図１及び図２を参照するに、上記した技術手法を基礎として、具体的には更に、コンタクト２の両側に位置する二つの係合穴１が回路板６上に設けられて、前記Ｕ形ホルダ７が係合穴１により回路板６に係合するため、製造加工がしやすくなるようにしてもよい。
【００１５】
スイッチ接続が堅固な電子カードの実施例において、図１及び図２を参照するに、上記した技術手法を基礎として、具体的には更に、絶縁シート８がＰＶＣシートであってもよい。
【００１６】
スイッチ接続が堅固な電子カードの実施例において、図１及び図２を参照するに、上記した技術手法を基礎として、具体的には更に、回路板６上に、ボタン電池５とスピーカ３とが設けられてもよく、その他実施例ではＬＥＤが設けられてもよい。
【００１７】
スイッチ接続が堅固な電子カードの実施例において、図１及び図２を参照するに、上記した技術手法を基礎として、具体的には更に、Ｕ形ホルダ７のコンタクト２に対応する位置を肉抜きして、加工及び使用中に製品が所定位置に組付けられているか見られるようにしてもよい。
【００１８】
以上、本発明のスイッチ接続が堅固な電子カードに対して詳細な説明を行って、本発明の理解の一助としたが、本発明の実施形態は上記実施例に制限されることなく、本発明の原理から外れることなく行ったいずれの変更、修飾、交換、組み合わせ、簡素化はいずれも等価の置換方式であって、いずれも本発明の保護範囲内に含まれるものである。
【図１】
2018108731.tif 000003
【図２】
2018108731.tif 000004